(57)【特許請求の範囲】
【請求項１】
複数の外部機器から映像／音声信号を入力する複数の入力手段と、前記複数の入力手段毎の視聴積算時間を計測して記憶する視聴積算時間記憶手段と、前記視聴積算時間記憶手段が記憶した前記視聴積算時間に基づいて、前記複数の入力手段からの入力を切換える入力切換え手段とを備え、前記入力切換え手段は、前記外部機器の接続変更がなされた場合に、前記視聴積算時間記憶手段が記憶した前記視聴積算時間を初期化することを特徴とするＡＶ機器。
【発明の詳細な説明】
【０００１】
【発明の属する技術分野】
本発明は、入力端子の順次切換えが可能なＡＶ機器に関する。
【０００２】
【従来の技術】
従来、入力端子の順次切換えが可能なＡＶ機器における入力切換え手法は、特開平７−１４７６５４号公報に記載されたものが知られている。図６に従来の入力切換え方式の構成を示す。
【０００３】
図６において、入力端子の切換え有効／無効を設定したデータを保持する端子データレジスタ４を設け、このデータに基づいてＣＰＵ３は切換え無効とされた入力端子に対しては切換えを行わない様に、切換え選択部１を制御すると共に、オンスクリーン表示部８を制御し、これに伴う映像ソース表示制御を行うように構成されている。
【０００４】
【発明が解決しようとする課題】
この入力端子の順次切換え方式においては、予め端子データレジスタへ各入力端子の有効／無効を設定しておかなくてはならない。
【０００５】
【課題を解決する為の手段】
この課題を解決する為に本発明は、入力端子状態記憶装置により、利用者が選択した最後の入力端子を保持、もしくは、入力端子毎の利用時間を保持し、前記入力端子状態記憶装置に記憶されている情報に基づいて入力端子切換えを行う事を特徴とした物である。
【０００６】
本発明によれば、利用者が予め入力端子の有効／無効を設定する必要がなく、入力切換えの際、不必要な入力端子を選択しないで所望の入力端子へ切換え可能なＡＶ機器を提供する事ができる。
【０００７】
【発明の実施の形態】
本発明の請求項１に記載の発明は、複数の外部機器から映像／音声信号を入力する複数の入力手段と、前記複数の入力手段毎の視聴積算時間を計測して記憶する視聴積算時間記憶手段と、前記視聴積算時間記憶手段が記憶した前記視聴積算時間に基づいて、前記複数の入力手段からの入力を切換える入力切換え手段とを備え、前記入力切換え手段は、前記外部機器の接続変更がなされた場合に、前記視聴積算時間記憶手段が記憶した前記視聴積算時間を初期化することを特徴とするＡＶ機器である。
【００１１】
（実施の形態１）
本発明の実施の形態１について、図１および図２を用いて説明する。
【００１２】
本発明の実施の形態１におけるＡＶ機器のブロック図を図１に示す。
図１において、入力スイッチ１は映像／音声入力端子１１〜１６から所望の入力を選択し、端子１７へ出力する。
映像／音声処理部２は、入力された映像／音声信号を処理しスピーカー５およびＲＧＢプロセッサ７へ出力する。
ＲＧＢプロセッサ７は、映像／音声処理部２の映像出力とオンスクリーン表示部８の出力映像信号をＲ，Ｇ，Ｂへ変換しＣＲＴ６へ出力する。
入力切換え順序記憶部４は、図２に示す構造をしており、最後に使用した入力端子名が常にレジスタの先頭に保持されるメモリである。
リモコン１０は、電源キー（制御対象となるＡＶ機器を待機状態にする）、チャンネル切換えキー、音量設定キーなどの制御対象ＡＶ機器を操作するキーのほか、ビデオ入力切換えキーを備えており、ビデオ入力切換えキーを押す毎にビデオ入力が順に選択される。
リモコン受信部９は、前記リモコン１０から発せられる信号を受信し、ＣＰＵ３へ伝える事によって利用者の操作を伝達する。
ＣＰＵ３は、リモコン１０のビデオ入力切換えキーが押される度に入力切換え順序記憶部４に登録されているビデオ入力順に入力スイッチ１を制御し、入力を切換えると共に、前記オンスクリーン表示部８を制御し、現在の入力端子名を表示させる。
【００１３】
図２に前記入力スイッチ１の入力端子として、チューナー、ビデオ入力１〜４、ＭＵＳＥ入力端子の６端子が存在しており、これらの入力切換えには、リモコン１０のビデオ入力切換えキーの操作によって順に選択可能である場合の動作を示す。
【００１４】
初期状態では、入力切換え順序記憶部４の内容は図２ａに示す様にビデオ入力１、２、３、４、ＭＵＳＥの順であり、現在選択されている入力はチューナーであるとする。
今、利用者はビデオ入力３を選択しようとしているとする。利用者によって、リモコン１０のビデオ入力切換えキーが押されると、ビデオ入力１が選択され、利用者はビデオ入力３が選択されるまで、リモコン１０のビデオ入力切換えキーを押す。
ビデオ入力３が選択された時点で、利用者はビデオ入力３からの映像／音声を視聴し、視聴が終了した時点で、リモコン１０の電源キー（待機状態キー）ないしチャンネル切換えキーを押す。
このリモコン１０の操作をトリガーとして、ＣＰＵ３は入力切換え順序記憶部４に登録されているビデオ入力名の順番を選択されていたビデオ入力（この場合、ビデオ入力３）が先頭に来るように図２ｂの様に移動する。
【００１５】
次の機会に、利用者がビデオ入力３を選択しようとした際には、リモコン１０のビデオ入力切換えキーを押すと、ＣＰＵ３は図２ｂの順序になっている入力切換え順序記憶部４の先頭を読み出し、入力スイッチ１を制御してビデオ入力３を選択する。
【００１６】
この様に、入力切換え順序記憶部４に登録されているビデオ入力切換え順序は、利用頻度の高い物から順に並ぶ事になり、リモコン１０のビデオ入力切換えキーを押すとその先頭に登録されているビデオ入力が真っ先に選択される為、利用者にとって、不必要なビデオ入力を選択する事なく所望の入力へ切換える事ができ、操作性の向上を図る事ができる。
【００１７】
（実施の形態２）
本発明の実施の形態１によると、利用者の間違いによって所望しないビデオ入力が選択され、チャンネル切換えキーないし電源キー（待機状態キー）を押した場合でも、最終視聴ビデオ入力は入力切換え順序記憶部に保持される為、次回のビデオ入力切換え時には、誤って選択されたビデオ入力が一番最初に選択されてしまう、という欠点があった。
【００１８】
本発明の実施の形態２におけるＡＶ機器のブロック図を図３に示す。図３中、同一符号を付与している部分については、図１と同じ物である為、その説明を省略する。
【００１９】
視聴時間記憶部４１の構成を図４に示す。その内容は、入力端子名とそれらと１対１の対応を持つ視聴積算時間である。
また、カウンタ３１は利用者が選択したビデオ入力の視聴時間を計測する。ＣＰＵ３は、前記視聴時間記憶部４１に保存されている各ビデオ入力の視聴積算時間を登録し、この視聴時間の長い物から順にビデオ入力切換えを行う様に入力スイッチ１とオンスクリーン表示部８を制御する。
【００２０】
以下では、利用者がビデオ入力３を選択しようとしている場合の動作について説明する。
利用者によるリモコン１０のビデオ入力切換えキーの操作によってビデオ入力３が選択されると、ＣＰＵ３は視聴時間を計測するカウンター３１をリセットする。
視聴が終了すると、利用者はリモコン１０の電源キー（待機状態キー）または、チャンネル切換えキーないし、ビデオ入力切換えキーを押し、電源を切るか、チューナーからの放送、または、他のビデオ入力を視聴し始める。
【００２１】
このリモコン１０の操作をトリガーとして、ＣＰＵ３は今まで視聴していたビデオ入力端子の視聴時間をカウンタ３１から読み出し、視聴時間記憶部４の該当する入力端子の視聴時間に加算し、結果を視聴時間記憶部４１へ書き戻す。
【００２２】
次の機会に、利用者がビデオ入力３を選択しようとして、リモコン１０のビデオ入力切換えキーを押すと、ＣＰＵ３は視聴時間記憶部４１の視聴積算時間の長いビデオ入力から順に選択するように入力スイッチ１およびオンスクリーン表示部８を制御する。
【００２３】
この結果、前回のビデオ入力３の視聴積算時間が他の入力端子よりも長くなっている為、即座にビデオ入力３が選択される事になる。
【００２４】
上記のビデオ入力切換え操作を繰り返すうちに、視聴時間記憶部４１は、利用者のビデオ入力の使用状況に合わせて視聴積算時間が加算される事になり、利用者のビデオ入力の使用傾向を検出する事ができる。
【００２５】
そして、最も利用頻度の高いビデオ入力端子から順にビデオ入力切換えがなされる為、利用者にとって不要なリモコンのキー操作を省略する事ができ、操作性の向上を図る事ができる。
また、誤ったビデオ入力が選択されても、誤ったビデオ入力の視聴時間は短い為、次回のビデオ入力切換えの際には、最も長い視聴時間のビデオ入力が選択され、ビデオ入力の誤選択の影響を最小限に抑える事ができる。
【００２６】
（実施の形態３）
本発明の実施の形態２によると、外部機器の接続変更が発生しても、視聴積算時間は以前の接続のままである為、接続変更後のビデオ入力の視聴時間が以前の接続の視聴時間を超えるまでは利用者の所望のビデオ入力に達するまで不要なリモコンのキー操作が必要となる。
【００２７】
本発明の実施の形態３では、上記の課題を解決する手法を提供する。
図５に実施の形態３のブロック図を示す。図５中、同一符号を付与している部分については、図３と同じ物である為、その説明を省略する。
積算時間初期化部５１は、視聴時間記憶部４１の全ビデオ入力の視聴積算時間を０に初期化する働きを持つ。
ＣＰＵ３はビデオ切換えに関する視聴時間記憶部４１に対する動作については、前述の実施の形態２で説明した物と同一であるが、利用者によって、外部機器の接続変更があった旨の通知を受け取ると、積算時間初期化部５１へ視聴時間記憶部４１の全ビデオ入力の視聴積算時間の初期化を行う指令を出す。
【００２８】
これによって、視聴時間記憶部４１の全ビデオ入力の視聴積算時間は０になり、新たに利用者の各ビデオ入力の使用傾向を検出する準備が整う。
なお、積算時間初期化部を用いた積算時間の初期化の代わりに、各ビデオ入力に対して、視聴時間記憶部４１の視聴積算時間を読み出し、その読み出した積算時間と視聴時間記憶部４１に保存してある積算時間との差を再び視聴時間記憶部４１の積算時間として保存しても、上記の視聴積算時間の初期化を行う事ができる。
【００２９】
【発明の効果】
本発明によれば、利用者が予め入力端子毎の有効／無効を設定せずとも、無効な入力端子の選択が省略されて所望の入力端子を選択できる為、この際のキー操作回数が必要最小限で済み、操作性の向上を図る事ができる。
また、利用者の入力端子の誤選択によって生じる次の入力選択の際の誤選択を防ぐ事ができ、外部機器の接続の変更によって、入力端子毎の利用頻度に大きな変更があった場合においても、入力端子毎の利用時間の初期化によって、再び利用時間順の入力選択を即座に行わせる事が可能となる。
【図面の簡単な説明】
【図１】本発明の実施の形態１のブロック構成図
【図２】本発明の実施の形態１の動作説明図
【図３】本発明の実施の形態２のブロック構成図
【図４】本発明の実施の形態２の視聴積算時間記憶部構造図
【図５】本発明の実施の形態３のブロック構成図
【図６】従来の入力切換え方式のブロック構成図
【符号の説明】
１  入力スイッチ
２  映像／音声処理部
３  ＣＰＵ
４  入力切換え順序記憶部
５  スピーカー
６  ＣＲＴ
７  ＲＧＢプロセッサ
８  オンスクリーン表示部
９  リモコン受信部
１０  リモコン
１１  チューナ入力端子
１２  ビデオ１入力端子
１３  ビデオ２入力端子
１４  ビデオ３入力端子
１５  ビデオ４入力端子
１６  ＭＵＳＥ入力端子
１７  入力スイッチ出力端子
３１  カウンタ
４１  視聴時間記憶部
５１  積算時間初期化部
【図１】
0003622481.tif 000002
【図２】
0003622481.tif 000003
【図３】
0003622481.tif 000004
【図４】
0003622481.tif 000005
【図５】
0003622481.tif 000006
【図６】
0003622481.tif 000007